【手続補正書】
【提出日】平成15年9月19日(2003.9.19)
【手続補正１】
【補正対象書類名】明細書
【補正対象項目名】特許請求の範囲
【補正方法】変更
【補正の内容】
【特許請求の範囲】
【請求項１】
相変化型記録層とこの相変化型記録層に対向する側の面に形成された目視情報記録領域とを有するディスク媒体を、外部に排出可能に形成され、前記ディスク媒体を密閉可能に収容するカートリッジ本体と、
このカートリッジ本体から前記ディスク媒体が、少なくとも１度、外部に排出されたことを報知するディスク排出報知手段を含み、このディスク排出報知手段とともに前記カートリッジ本体に対して開閉可能に形成され、前記ディスク媒体の前記カートリッジ本体からの取り出しならびに再挿入を可能とする蓋部材と、を有するディスクカートリッジ。
【請求項２】
相変化型記録層とこの相変化型記録層に対向する側の面に形成された目視情報記録領域とを有するディスク媒体を、外部に排出可能に形成され、前記ディスク媒体を密閉可能に収容するカートリッジ本体と、
このカートリッジ本体を外部からの保持手段により保持可能とするために前記カートリッジ本体の所定の位置に形成された凹部と、
前記カートリッジ本体から前記ディスク媒体が、少なくとも１度、外部に排出されたことを報知するディスク排出報知手段を含み、このディスク排出報知手段と前記凹部とともに前記カートリッジ本体が記録装置に挿入される方向と対向する側の側面の近傍の一点を軸として開閉可能に形成され、前記ディスク媒体の前記カートリッジ本体からの取り出しならびに再挿入を可能とする蓋部材と、
を有するディスクカートリッジ。
【請求項３】
相変化型記録層とこの相変化型記録層に対向する側の面に形成された目視情報記録領域とを有するディスク媒体を、外部に排出可能に形成され、前記ディスク媒体を密閉可能に収容するカートリッジ本体と、
このカートリッジ本体を外部からの保持手段により保持可能とするために前記カートリッジ本体の所定の位置に形成された凹部と、
前記カートリッジ本体から前記ディスク媒体が、少なくとも１度、外部に排出されたことを報知するディスク排出報知手段を含み、このディスク排出報知手段とともに前記凹部とともに前記カートリッジ本体が記録装置に挿入される方向と対向する側の側面と接する角部であって、前記ディスク排出報知手段から離れた角部を軸として開閉可能に形成され、前記ディスク媒体の前記カートリッジ本体からの取り出しならびに再挿入を可能とする蓋部材と、
を有するディスクカートリッジ。
【請求項４】
相変化型記録層とこの相変化型記録層に対向する側の面に形成された目視情報記録領域とを有するディスク媒体を、外部に排出可能に形成され、前記ディスク媒体を密閉可能に収容するカートリッジ本体と、
このカートリッジ本体を外部からの保持手段により保持可能とするために前記カートリッジ本体の所定の位置に形成された凹部と、
前記カートリッジ本体から前記ディスク媒体が、少なくとも１度、外部に排出されたことを報知するディスク排出報知手段を含み、このディスク排出報知手段とともに前記凹部とともに前記カートリッジ本体が記録装置に挿入される方向に位置する一端部を除いた３側面のいづれかに設定された一点を軸として開閉可能に形成され、前記ディスク媒体の前記カートリッジ本体からの取り出しならびに再挿入を可能とする蓋部材と、
を有するディスクカートリッジ。
【請求項５】
相変化型記録層とこの相変化型記録層に対向する側の面に形成された目視情報記録領域とを有するディスク媒体を、外部に排出可能に形成され、前記ディスク媒体を密閉可能に収容するカートリッジ本体と、
このカートリッジ本体から前記ディスク媒体が、少なくとも１度、外部に排出されたことを報知するディスク排出報知手段と前記ディスク媒体が前記カートリッジ本体が不用意に脱落することを防止するディスク案内手段を含み、このディスク排出報知手段とともに前記カートリッジ本体に対して開閉可能に形成され、前記ディスク媒体の前記カートリッジ本体からの取り出しならびに再挿入を可能とする蓋部材と、
を有するディスクカートリッジ。
【請求項６】
相変化型記録層とこの相変化型記録層に対向する側の面に形成された目視情報記録領域とを有するディスク媒体を、外部に排出可能に形成され、前記ディスク媒体を密閉可能に収容するカートリッジ本体と、
このカートリッジ本体から前記ディスク媒体が、少なくとも１度、外部に排出されたことを報知するディスク排出報知手段と前記ディスク媒体が前記カートリッジ本体が不用意に脱落することを防止するために前記ディスク媒体を保持するディスク保持手段を含み、このディスク排出報知手段とともに前記カートリッジ本体に対して開閉可能に形成され、前記ディスク媒体の前記カートリッジ本体からの取り出しならびに再挿入を可能とする蓋部材と、
を有するディスクカートリッジ。
【請求項７】
中心付近に形成された開口部から記録装置に挿入される方向に位置する一端部に向けて放射状に延出され、前記開口部からの距離が増大されるにつれて周辺の平面部から突出される突出量が増大された複数の突起部を有し、相変化型記録層とこの相変化型記録層に対向する側の面に形成された目視情報記録領域とを有するディスク媒体を外部に排出可能であって、前記ディスク媒体と前記平面部とディスク媒体とが接触することを防止しながら前記ディスク媒体を収容するカートリッジ本体と、
このカートリッジ本体から前記ディスク媒体が、少なくとも１度、外部に排出されたことを報知するディスク排出報知手段を含み、このディスク排出報知手段とともに前記カートリッジ本体に対して開閉可能に形成され、前記ディスク媒体の前記カートリッジ本体からの取り出しならびに再挿入を可能とする蓋部材と、を有するディスクカートリッジ。
【請求項８】
相変化型記録層とこの相変化型記録層に対向する側の面に形成された目視情報記録領域とを有するディスク媒体を外部に排出可能であって、前記ディスク媒体に情報を記録する記録装置に対して挿入される方向の一端部に隣接された２側面の前記一端部と接する位置から奥行き方向に向かって次第に幅が狭められた溝を有し、ディスク媒体を収容するカートリッジ本体と、
このカートリッジ本体から前記ディスク媒体が、少なくとも１度、外部に排出されたことを報知するディスク排出報知手段を含み、このディスク排出報知手段とともに前記カートリッジ本体に対して開閉可能に形成され、前記ディスク媒体の前記カートリッジ本体からの取り出しならびに再挿入を可能とする蓋部材と、を有するディスクカートリッジ。
【請求項９】
相変化型記録層とこの相変化型記録層に対向する側の面に形成された目視情報記録領域およびディスク媒体の材質よりも反射率が低くかつ目視可能なデータの書き込みにより提供される書き込み媒体が残留可能な摩擦係数が与えられた書き込み可能領域とを有するディスク媒体を、外部に排出可能に形成され、前記ディスク媒体の相変化型記録層と直交する方向の２側面のいづれか一方に逆方向の挿入を阻止する凹部が形成され、前記ディスク媒体を密閉可能に収容するカートリッジ本体と、
このカートリッジ本体に対して開閉可能に形成され、前記ディスク媒体の前記カートリッジ本体からの取り出しならびに再挿入を可能とする蓋部材と、
前記カートリッジ本体と一体に形成され、前記ディスク媒体の記録面と直交する方向の外力が与えられることで前記カートリッジに収容されている前記ディスク媒体への情報の書き込み禁止を示す第１の位置と前記カートリッジに収容されている前記ディスク媒体への情報の書き込みを許可する第２の位置との間を移動可能な書き込み条件設定手段と、
を有するディスクカートリッジ。
【請求項１０】
相変化型記録層とこの相変化型記録層に対向する側の面に形成された目視情報記録領域およびディスク媒体の材質よりも反射率が低くかつ目視可能なデータの書き込みにより提供される書き込み媒体が残留可能な摩擦係数が与えられた書き込み可能領域とを有するディスク媒体を、外部に排出可能に形成され、前記ディスク媒体の相変化型記録層と直交する方向の２側面のいづれか一方に逆方向の挿入を阻止する凹部が形成され、前記ディスク媒体を密閉可能に収容するカートリッジ本体と、
このカートリッジ本体に対して開閉可能に形成され、前記ディスク媒体の前記カートリッジ本体からの取り出しならびに再挿入を可能とする蓋部材と、
前記カートリッジ本体と一体に形成され、前記カートリッジに収容されている前記ディスク媒体への情報の書き込み禁止を示す第１の位置と前記カートリッジに収容されている前記ディスク媒体への情報の書き込みを許可する第２の位置との間を移動可能な書き込み条件設定手段と、
この書き込み条件設定手段が前記第１の位置と前記第２の位置との間を不所望に移動することを抑止する移動禁止手段と、
を有するディスクカートリッジ。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１８
【補正方法】削除
【補正の内容】